(57)【要約】【課題】映像表示停止動作の後においても、冷却ファンを動作させる駆動時間の長さを容易に変更することができる投写型映像表示装置を提供する。【解決手段】投写型映像表示装置であるプロジェクタ１は、映像表示用の光学部品である光源３１等と、光源３１等を冷却するための冷却ファン５１と、マンマシンインタフェースにより構成される操作部２０と、映像表示停止動作の後において冷却ファン５１が動作しているとき、かつ、操作部２０が操作されたときに、操作部２０からの入力に基づいて冷却ファン５１の動作を停止させる制御部７１とを備える。【選択図】図２
2013011690.tif 000002
【特許請求の範囲】
【請求項１】
映像表示用の光学部品と、この光学部品を冷却するための冷却ファンと、マンマシンインタフェースにより構成される操作部とを備える投写型映像表示装置において、
映像表示停止動作の後において前記冷却ファンが動作しているとき、かつ、前記操作部が操作されたときに、同操作部からの入力に基づいて前記冷却ファンの動作を停止させる制御部を備える
ことを特徴とする投写型映像表示装置。
【請求項２】
前記光学部品として映像表示用の光源を備え、
前記映像表示停止動作は、前記光源への電力供給を停止する動作である
ことを特徴とする請求項１に記載の投写型映像表示装置。
【請求項３】
前記操作部は、押しボタンスイッチにより構成され、
前記押しボタンスイッチが、前記映像表示停止動作を指示するためのマンマシンインタフェースを兼ねている
ことを特徴とする請求項１または２に記載の投写型映像表示装置。
【請求項４】
前記操作部は、前記映像表示停止動作を指示するための映像オフ用押しボタンスイッチと、この押しボタンスイッチとは別体である他の押しボタンスイッチとを有し、
前記制御部は、前記映像表示停止動作の後において前記冷却ファンが動作しているとき、かつ、前記映像オフ用押しボタンスイッチ及び前記他の押しボタンスイッチの少なくとも一方が操作されたときに、操作された押しボタンスイッチからの入力に基づいて前記冷却ファンの動作を停止させる
ことを特徴とする請求項３に記載の投写型映像表示装置。
【請求項５】
前記光学部品及び前記冷却ファン及び前記制御部を内蔵する装置本体を備え、
前記操作部が前記装置本体に設けられている
ことを特徴とする請求項１〜４のいずれか一項に記載の投写型映像表示装置。
【請求項６】
前記光学部品及び前記冷却ファン及び前記制御部を内蔵する装置本体と、この装置本体とは別体である遠隔操作機器とを備え、
前記操作部が前記遠隔操作機器に設けられている
ことを特徴とする請求項１〜４のいずれか一項に記載の投写型映像表示装置。
【発明の詳細な説明】
【技術分野】
【０００１】
本発明は、映像表示用の光学部品と、この光学部品を冷却するための冷却ファンと、マンマシンインタフェースにより構成される操作部とを備える投写型映像表示装置に関する。
【背景技術】
【０００２】
一般に、液晶プロジェクタ等の投写型映像表示装置において、高温となっている光学部品を冷却するために、映像表示停止動作の後においても、冷却ファンを所定時間動作させることが知られている。また、冷却ファンを動作させる時間を変更可能な投写型映像表示装置が知られている（例えば特許文献１参照）。
【０００３】
特許文献１に記載されるプロジェクタにおいては、冷却ファンの駆動時間を短時間に設定することと、冷却ファンの駆動時間を長時間に設定することが記載されている。プロジェクタの使用者は、機能設定画面の機能項目の設定において、冷却ファンの駆動時間を設定する。
【先行技術文献】
【特許文献】
【０００４】
【特許文献１】特開２００４−２１１０３号公報（［００７６］、図１１参照）
【発明の概要】
【発明が解決しようとする課題】
【０００５】
しかしながら、上記特許文献１においては、映像表示停止動作の前に機能設定画面を表示させて冷却ファンの駆動時間を設定する。従って、冷却ファンの駆動時間が長時間に設定されているときに、映像表示停止動作の後において冷却ファンの駆動時間を短時間に設定するという要求に応えることができない。即ち、特許文献１に記載のプロジェクタは、映像表示停止動作の後において、冷却ファンを動作させる駆動時間の長さを変更することができないという問題がある。
【０００６】
本発明は上記問題を解決するためになされたものであり、その目的は、映像表示停止動作の後においても、冷却ファンを動作させる駆動時間の長さを容易に変更することができる投写型映像表示装置を提供することにある。
【課題を解決するための手段】
【０００７】
以下、上記目的を達成するための手段及びその作用効果について記載する。
請求項１に記載の発明は、映像表示用の光学部品と、この光学部品を冷却するための冷却ファンと、マンマシンインタフェースにより構成される操作部とを備える投写型映像表示装置において、映像表示停止動作の後において前記冷却ファンが動作しているとき、かつ、前記操作部が操作されたときに、同操作部からの入力に基づいて前記冷却ファンの動作を停止させる制御部を備えることを特徴とする。
【０００８】
上記発明によれば、投写型映像表示装置は、映像表示停止動作の後において冷却ファンが動作しているとき、かつ、操作部が操作されたときに、操作部からの入力に基づいて冷却ファンの動作を停止させる制御部を備える。このため、映像表示停止動作の後においても、操作部を用いて所望のタイミングで冷却ファンの動作を停止させることができ、冷却ファンを動作させる駆動時間の長さを容易に変更することができる。
【０００９】
請求項２に記載の発明は、請求項１に記載の投写型映像表示装置において、光学部品として映像表示用の光源を備え、前記映像表示停止動作は、前記光源への電力供給を停止する動作であることを特徴とする。
【００１０】
上記発明によれば、投写型映像表示装置は、光学部品として映像表示用の光源を備え、映像表示停止動作は、光源への電力供給を停止する動作である。このため、映像停止動作により、光源を消灯するとともに光源の温度上昇を抑制することができる。
【００１１】
請求項３に記載の発明は、請求項１または２に記載の投写型映像表示装置において、前記操作部は、押しボタンスイッチにより構成され、前記押しボタンスイッチが、前記映像表示停止動作を指示するためのマンマシンインタフェースを兼ねていることを特徴とする。
【００１２】
上記発明によれば、操作部は、押しボタンスイッチにより構成され、冷却ファンの停止を指示するための押しボタンスイッチが、映像表示停止動作を指示するためのマンマシンインタフェースを兼ねている。このため、映像表示停止動作の後において冷却ファンが動作しているときに、映像表示停止動作を指示するための押しボタンスイッチを操作することにより、冷却ファンの動作を停止させることができる。
【００１３】
請求項４に記載の発明は、請求項３に記載の投写型映像表示装置において、前記操作部は、前記映像表示停止動作を指示するための映像オフ用押しボタンスイッチと、この押しボタンスイッチとは別体である他の押しボタンスイッチとを有し、前記制御部は、前記映像表示停止動作の後において前記冷却ファンが動作しているとき、かつ、前記映像オフ用押しボタンスイッチ及び前記他の押しボタンスイッチの少なくとも一方が操作されたときに、操作された押しボタンスイッチからの入力に基づいて前記冷却ファンの動作を停止させることを特徴とする。
【００１４】
上記発明によれば、制御部は、映像表示停止動作を指示するための映像オフ用押しボタンスイッチ、及びこの押しボタンスイッチとは別体である他の押しボタンスイッチの少なくとも一方が操作されたときに、操作された押しボタンスイッチからの入力に基づいて冷却ファンの動作を停止させる。このため、映像表示停止動作の後において映像オフ用押しボタンスイッチを操作することでしか冷却ファンの動作を停止することができない構成に比べて、冷却ファンの停止を指示する際の利便性を向上させることができる。
【００１５】
請求項５に記載の発明は、請求項１〜４のいずれか一項に記載の投写型映像表示装置において、前記光学部品及び前記冷却ファン及び前記制御部を内蔵する装置本体を備え、前記操作部が前記装置本体に設けられていることを特徴とする。
【００１６】
上記発明によれば、光学部品及び冷却ファン及び制御部を内蔵する装置本体に、冷却ファンの停止を指示するための操作部が設けられているため、投写型映像表示装置を持ち運ぼうとする一般使用者が、冷却ファンの動作を容易に停止させることができる。
【００１７】
請求項６に記載の発明は、請求項１〜４のいずれか一項に記載の投写型映像表示装置において、前記光学部品及び前記冷却ファン及び前記制御部を内蔵する装置本体と、この装置本体とは別体である遠隔操作機器とを備え、前記操作部が前記遠隔操作機器に設けられていることを特徴とする。
【００１８】
上記発明によれば、装置本体とは別体である遠隔操作機器に、冷却ファンの停止を指示するための操作部が設けられている。このため、例えば、装置本体に操作部を設けないようにして、一般使用者が冷却ファンの動作を停止することができないようにするとともに、遠隔操作機器を操作する管理者が冷却ファンの動作を遠隔から停止させることが可能となる。
【発明の効果】
【００１９】
本発明によれば、映像表示停止動作の後においても、操作部を用いて所望のタイミングで冷却ファンの動作を停止させることができ、冷却ファンを動作させる駆動時間の長さを容易に変更することができる。
【図面の簡単な説明】
【００２０】
【図１】本発明の一実施形態に係る投写型映像表示装置の外観を示す図であって、（ａ）は斜視図、（ｂ）は平面図。
【図２】同実施形態の投写型映像表示装置の概略構成を示すブロック図。
【図３】同実施形態の投写型映像表示装置が実行する「クーリング制御処理」の流れを示すフローチャート。
【発明を実施するための形態】
【００２１】
以下、本発明の一実施形態について図面を参照しながら説明する。
図１（ａ）に示すように、映像をスクリーンまたは壁等の平面に投写して表示可能な本実施形態の投写型映像表示装置は、映像信号に基づいて映像を表示するビデオプロジェクタ１（以下、「プロジェクタ１」）である。
【００２２】
プロジェクタ１は、光学部品及び電子部品等を内蔵する筐体１０を備えている。プロジェクタ１は、筐体１０に設けられた開口部１１から、映像の光を投射レンズ３３で投射することにより、プロジェクタ１に対向する映像表示面に映像を表示する。また、筐体１０には、プロジェクタ１の外部から空気を吸い込むための吸気口１２が設けられている。
【００２３】
また、プロジェクタ１の装置本体を構成する筐体１０には、プロジェクタ１の使用者が操作する操作部２０が設けられている。操作部２０は、押しボタンスイッチにより構成されている。押しボタンスイッチは、使用者により押される押しボタンと、電気回路に設けられたスイッチ（不図示）とを備えるマンマシンインタフェースである。図１（ｂ）を参照して、操作部２０について説明する。
【００２４】
図１（ｂ）は、図１（ａ）に示す操作部２０を拡大した図である。
操作部２０は、押しボタンとして、電源ボタン２１と、メニュー表示ボタン２２と、項目選択ボタン２３と、ポインタ移動ボタン２４とを有している。各ボタン２１〜２４は、押しボタンスイッチを構成しているユーザインタフェースである。
【００２５】
電源ボタン２１は、映像の非表示時において映像表示動作を指示するための映像オン用押しボタンスイッチを構成するとともに、映像の表示時において映像表示停止動作を指示するための映像オフ用押しボタンスイッチを構成している。また、電源ボタン２１は、映像の非表示時かつ冷却ファンの動作時において冷却ファンの停止を指示するための冷却オフ用押しボタンスイッチを兼ねている。
【００２６】
メニュー表示ボタン２２は、プロジェクタ１によるメニュー映像の表示を指示するための押しボタンスイッチを構成している。メニュー映像には、プロジェクタ１が実行可能な機能の一覧と、この一覧に含まれる選択肢のうちいずれかを指し示すポインタとが含まれる。
【００２７】
項目選択ボタン２３は、メニュー映像においてポインタが指し示す項目の選択を指示するための押しボタンスイッチを構成している。
ポインタ移動ボタン２４は、メニュー映像におけるポインタの移動を指示するための押しボタンスイッチを構成している。
【００２８】
図２を参照して、筐体１０に内蔵されるプロジェクタ１の内部構成について説明する。
プロジェクタ１は、映像表示用の光学部品として、光源３１と、液晶パネル３２と、投射レンズ３３とを備えている。これらの光学部品の他に、プロジェクタ１は、例えば、インテグレータレンズ、偏光変換素子、集光レンズ、及びクロスダイクロイックプリズム（いずれも不図示）等を備えている。
【００２９】
光源３１は、例えば超高圧水銀ランプまたはメタルハライドランプ等の放電ランプにより構成されている。液晶パネル３２は、光源３１が発した光を用いて映像を生成するドットマトリクス型の液晶ライトバルブを構成している。投射レンズ３３は、映像の光を投射するレンズ群により構成されている。光源３１から出射されて液晶ライトバルブを透過した光が投射レンズ３３で投射されることにより、映像が拡大されて表示される。
【００３０】
また、プロジェクタ１は、プロジェクタ１の外部から映像信号が入力される映像信号入力部４１と、映像信号に対して所定の信号処理を施す映像信号処理部４２と、映像信号に基づいて液晶パネル３２を駆動する液晶駆動部４３と、光源３１及び液晶パネル３２等の高温となる光学部品を冷却するための冷却ファン５１を備えている。
【００３１】
映像信号入力部４１は、例えば映像信号用ケーブル（不図示）が接続される映像信号入力用の端子、または無線により送信された映像信号を受信する無線モジュールにより構成されている。映像信号処理部４２は、プロジェクタ１に入力された映像信号に対して、ＯＳＤ（On Screen Display）処理や台形歪み補正処理等の種々の信号処理を施す信号処理回路により構成されている。液晶駆動部４３は、映像信号に基づいて液晶パネル３２を駆動する駆動回路により構成されている。映像信号に基づいて駆動されている液晶パネル３２を含む液晶ライトバルブを、光源３１から出射された光が透過することにより映像が生成される。
【００３２】
冷却ファン５１は、冷却対象部である光源３１及び液晶パネル３２等に冷却風を送風する送風機である。冷却ファン５１は、吸気口１２を通してプロジェクタ１の外部から内部に空気を吸い込んで、冷却対象部に送風する。
【００３３】
また、プロジェクタ１は、プロジェクタ１の外部から供給される電力が入力される電源入力部６１と、電力をプロジェクタ１の各部に供給する内部電源部６２と、プロジェクタ１の各部を制御する制御部７１と、情報を記憶する記憶部７２と、時間を計測する計時部７３とを備えている。
【００３４】
電源入力部６１は、電源コード（不図示）が接続される電源コネクタにより構成されている。内部電源部６２は、電源入力部６１に入力された電力を適宜変換する電源回路により構成されている。内部電源部６２は、光源３１に電力を供給する光源電源回路、液晶パネル３２に電力を供給する液晶電源回路、冷却ファン５１に電力を供給するファン電源回路（いずれも不図示）等を備えている。内部電源部６２は、光源３１及び液晶パネル３２及び映像信号処理部４２及び液晶駆動部４３及び冷却ファン５１及び制御部７１等の電力を必要とする電力供給先に、その電力供給先に応じた電力を供給する。
【００３５】
制御部７１は、映像信号処理部４２における信号処理の制御や、内部電源部６２による光源３１及び冷却ファン５１等への電力供給の制御等を行う集積回路により構成されている。記憶部７２は、不揮発性の読み書き可能なメモリにより構成されている。記憶部７２には、制御部７１が実行するプログラム等の情報が記憶されている。計時部７３は、タイマカウンタにより構成されている。
【００３６】
制御部７１による各部の制御について詳しく説明する。
操作部２０を構成する押しボタンスイッチの操作に基づいて動作する制御部７１は、押しボタンスイッチが操作されることにより制御部７１に入力される電気信号に基づいて動作する。即ち、制御部７１は、操作部２０からの入力に基づいて動作する。
【００３７】
映像の非表示時において電源ボタン２１が押されたとき、制御部７１は、内部電源部６２を制御して、映像を表示するための光源３１及び液晶パネル３２等の電力供給先に内部電源部６２から電力を供給させるとともに、高温となる光学部品を冷却するために内部電源部６２から冷却ファン５１に電力を供給させる。光源３１は、内部電源部６２から供給される電力を受けて点灯する。冷却ファン５１は、内部電源部６２から供給される電力を受けて動作する。
【００３８】
また、映像の表示時において電源ボタン２１が押されたとき、制御部７１は、内部電源部６２を制御して、内部電源部６２から光源３１及び液晶パネル３２等への電力供給を停止させる。光源３１は、内部電源部６２からの電力供給が停止されることにより消灯する。このようにして、プロジェクタ１は、映像表示停止動作として、光源３１及び液晶パネル３２への電力供給を停止する動作を行う。このとき、冷却ファン５１への電力供給は継続される。
【００３９】
本実施形態においては、制御部７１は、映像表示停止動作の後において冷却ファン５１が動作しているとき、かつ、電源ボタン２１が押されたときに、内部電源部６２を制御して、内部電源部６２から冷却ファン５１への電力供給を停止させる。このような内部電源部６２の制御は、制御部７１が、記憶部７２に記憶されているクーリング制御処理のプログラムを実行することにより行われる。
【００４０】
図３を参照して、プロジェクタ１が実行するクーリング制御処理について説明する。図３に示すフローチャートは、プロジェクタ１の動作が停止される際のプロジェクタ１の動作の流れを示している。
【００４１】
映像の表示時において、制御部７１は、電源ボタン２１が押されたか否かを判断する（ステップＳ１）。電源ボタン２１が押されたか否かは、電源ボタン２１を構成する押しボタンスイッチから制御部７１への電気信号の入力により判断可能である。
【００４２】
電源ボタン２１が押されたとステップＳ１で判断されたとき、制御部７１は、内部電源部６２を制御して光源３１及び液晶パネル３２への電力供給を停止させることにより、映像の表示を停止させる（ステップＳ２）。一方、電源ボタン２１が押されたとステップＳ１で判断されなかったとき、ステップＳ１が繰り返し実行される。即ち、電源ボタン２１が押された後、ステップＳ２で映像表示停止動作が行われる。
【００４３】
次いで、制御部７１は、映像の表示を停止してから、即ち光源３１が消灯してからの経過時間であって、冷却ファン５１が光源３１等を冷却し続ける時間であるクーリング時間の計測を開始する（ステップＳ３）。クーリング時間の計測は、計時部７３を用いて行うことが可能である。
【００４４】
ステップＳ２の映像表示停止動作の後において、制御部７１は、ステップＳ１と同様にして、電源ボタン２１が押されたか否かを判断する（ステップＳ４）。
電源ボタン２１が押されたとステップＳ４で判断されたとき、制御部７１は、内部電源部６２を制御して冷却ファン５１への電力供給を停止させることにより、冷却ファン５１の動作を停止させる（ステップＳ５）。
【００４５】
電源ボタン２１が押されたとステップＳ４で判断されなかったときには、制御部７１は、ステップＳ３で計測を開始したクーリング時間が記憶部７２に記憶されている設定時間を超えたか否かを判断する（ステップＳ６）。
【００４６】
クーリング時間が設定時間を超えたとステップＳ６で判断されたとき、制御部７１は、内部電源部６２を制御して冷却ファン５１への電力供給を停止させることにより、冷却ファン５１の動作を停止させる（ステップＳ５）。
【００４７】
一方、クーリング時間が設定時間を超えたとステップＳ６で判断されなかったとき、ステップＳ４が繰り返し実行される。即ち、映像表示停止動作の後において、電源ボタン２１が押されたと判断されたとき、または、クーリング時間が設定時間を超えたと判断されたときに、冷却ファン５１が停止する。
【００４８】
本発明の作用について説明する。
映像の表示時において電源ボタン２１が１回押されると、光源３１が消灯して映像が表示されなくなる。そして、光源３１が消灯してから設定時間内に電源ボタン２１が再度押されないと、冷却ファン５１が駆動し続けて、光源３１等が十分に冷却される。一方、光源３１が消灯してから設定時間内に電源ボタン２１が再度押されると、冷却ファン５１の動作が直ちに停止される。従って、例えば、映像の表示を停止してプロジェクタ１を持ち運ぼうとする一般使用者は、電源ボタン２１を２回押すことにより、冷却ファン５１の動作を直ちに停止させることができる。
【００４９】
本実施形態によれば、以下の作用効果を得ることができる。
（１）プロジェクタ１は、冷却ファン５１と、操作部２０とを備え、さらに、映像表示停止動作の後において冷却ファン５１が動作しているとき、かつ、操作部２０が操作されたときに、操作部２０からの入力に基づいて冷却ファン５１の動作を停止させる制御部７１を備えている。このため、映像表示停止動作の後においても、操作部２０を用いて所望のタイミングで冷却ファン５１の動作を停止させることができ、冷却ファン５１を動作させる駆動時間の長さを容易に変更することができる。
【００５０】
（２）プロジェクタ１は、光学部品として映像表示用の光源３１を備え、プロジェクタ１が行う映像表示停止動作は、光源３１への電力供給を停止する動作である。このため、映像停止動作により、光源３１を消灯するとともに光源３１の温度上昇を抑制することができる。
【００５１】
（３）操作部２０は、押しボタンスイッチにより構成され、冷却ファン５１の停止を指示するための押しボタンスイッチが、映像表示停止動作を指示するためのマンマシンインタフェースを兼ねている。このため、映像表示停止動作の後において冷却ファン５１が動作しているときに、電源ボタン２１を押すことにより、即ち映像表示停止動作を指示するための押しボタンスイッチを操作することにより、冷却ファン５１の動作を停止させることができる。
【００５２】
（４）光源３１及び冷却ファン５１及び制御部７１を内蔵する筐体１０に、冷却ファン５１の停止を指示するための操作部２０が設けられているため、プロジェクタ１を持ち運ぼうとする一般使用者が、冷却ファン５１の動作を容易に停止させることができる。
【００５３】
なお、本発明は、上記実施形態に限られず、本発明の趣旨に基づいて種々の設計変更をすることが可能であって、それらを本発明の範囲から除外するものではない。例えば、上記実施形態を以下のように変更してもよく、以下の変更を組み合わせて実施してもよい。
【００５４】
・上記実施形態では、ステップＳ１において電源ボタン２１が１回押されると、ステップＳ２において光源３１が消灯して映像が表示されなくなる構成であるが、ステップＳ１後かつステップＳ２前において、プロジェクタ１が、使用者に対して光源３１の消灯の意志の有無を確認することもできる。
【００５５】
例えば、電源ボタン２１が押されたとステップＳ１で判断されたとき、制御部７１が、映像信号処理部４２を制御することにより、ＯＳＤ映像を投写して表示するためのＯＳＤ処理を映像信号処理部４２で行わせて、光源３１の消灯の意志を確認するためのＯＳＤ映像を投写して表示することもできる。そして、制御部７１が、ＯＳＤ映像の表示時において電源ボタン２１が押されたか否かを判断して、電源ボタン２１が再度押されたと判断されたとき、ステップＳ２以降が実行される構成を採用することもできる。このような構成において、ＯＳＤ映像の表示時において電源ボタン２１が押されたと判断されなかったときは、光源３１の消灯の意志が無いと判断して、ＯＳＤ映像の表示を取り消すとともに外部から入力される映像信号に基づく映像の表示を再開して、ステップＳ１以降を繰り返し行う。上記構成によれば、映像表示時に光源３１の消灯させる意志のない使用者が電源ボタン２１を誤って押したときであっても、直ちに光源３１が消灯して映像の表示が停止してしまうことを防止することができる。
【００５６】
・上記実施形態では、操作部２０が筐体１０に設けられているが、筐体１０以外に操作部２０を設けることもできる。即ち、プロジェクタ１が、装置本体である筐体１０と、筐体１０とは別体である遠隔操作機器（図示略）とを備える構成であって、この遠隔操作機器に、冷却ファンの停止を指示するための操作部を設ける構成に変更することもできる。筐体１０と遠隔操作機器との接続は有線接続であっても無線接続であってもよい。
【００５７】
上記構成によれば、例えば、筐体１０に操作部２０を設けないようにして、一般使用者が冷却ファン５１の動作を停止することができないようにするとともに、遠隔操作機器を操作する管理者が冷却ファン５１の動作を遠隔から停止させることが可能となる。なお、プロジェクタ１が筐体１０と遠隔操作機器とを備える構成において、筐体１０及び遠隔操作機器の双方に操作部を設ける構成を採用することもできる。
【００５８】
・上記実施形態では、映像表示停止動作の後において電源ボタン２１が押されたときに制御部７１が冷却ファン５１の動作を停止させる構成であるが、映像表示停止動作の後において電源ボタン２１以外の押しボタン（例えば、メニュー表示ボタン２２）が押されたときに、制御部７１が冷却ファン５１の動作を停止させることもできる。即ち、制御部７１は、映像表示停止動作の後において冷却ファン５１が動作しているとき、かつ、映像オフ用押しボタンスイッチ及びこれとは別体である他の押しボタンスイッチの少なくとも一方が操作されたときに、操作された押しボタンスイッチからの入力に基づいて冷却ファン５１の動作を停止させてもよい。このような構成によれば、映像表示停止動作の後において映像オフ用押しボタンスイッチを操作することでしか冷却ファン５１の動作を停止することができない構成に比べて、冷却ファン５１の停止を指示する際の利便性を向上させることができる。
【００５９】
・上記実施形態では、冷却ファン５１の停止を指示するための押しボタンスイッチが、映像表示停止動作を指示するための押しボタンスイッチを兼ねているが、これ以外の押しボタンスイッチを、冷却ファン５１の停止を指示するための押しボタンスイッチとすることもできる。また、操作部２０が、冷却ファン５１の停止を指示するための専用押しボタンスイッチ（図示略）を有していてもよい。
【００６０】
・上記実施形態では、操作部２０を構成するマンマシンインタフェースは押しボタンスイッチであるが、押しボタンスイッチ以外のマンマシンインタフェースにより操作部を構成することもできる。例えば、タッチパネルにより操作部を構成することもできる。
【００６１】
・上記実施形態では、制御部７１は、内部電源部６２を制御して光源３１及び冷却ファン５１の動作態様を制御しているが、制御部７１が光源３１及び冷却ファン５１を直接的に制御する構成を採用することもできる。
【００６２】
・上記実施形態では、プロジェクタ１は液晶パネル３２を用いて映像を生成する投写型映像表示装置であるが、液晶パネル３２以外の光学部品を用いて映像を生成する投写型映像表示装置に本発明を適用することもできる。例えば、微小鏡を格子状に配列したＤＭＤ（Digital Micromirror Device）を用いて映像を生成するプロジェクタに本発明を適用することもできる。
【符号の説明】
【００６３】
１…ビデオプロジェクタ（投写型映像表示装置）、１０…筐体（装置本体）、１１…開口部、１２…吸気口、２０…操作部、２１…電源ボタン、２２…メニュー表示ボタン、２３…項目選択ボタン、２４…ポインタ移動ボタン、３１…光源（光学部品）、３２…液晶パネル（光学部品）、３３…投射レンズ、４１…映像信号入力部、４２…映像信号処理部、４３…液晶駆動部、５１…冷却ファン、６１…電源入力部、６２…内部電源部、７１…制御部、７２…記憶部、７３…計時部。
【図１】
2013011690.tif 000003
【図２】
2013011690.tif 000004
【図３】
2013011690.tif 000005